(57)【要約】   本発明は、燃焼室を取り囲む燃焼室ハウジングと、前記燃焼室ハウジングが収容されるハウジング収容体を備え、前記燃焼室ハウジングの外面が前記ハウジング収容体の内面に沿って延在し、前記燃焼室ハウジングを規定の態様にしたがって前記ハウジング収容体の中へと装着することによって、一方では前記燃焼室ハウジングに、他方では前記ハウジング収容体にそれぞれ設けられた吐出領域が空間的に互いに連通し、前記燃焼室で発生したガスは、前記燃焼室ハウジング及び前記ハウジング収容体の吐出領域を通じて周辺部へ吐出可能とされる、車両のエアバッグモジュール用燃焼室センブリに関する。本発明によれば、前記燃焼室ハウジング（１０）および／または前記ハウジング収容体（２）に少なくとも１つの凹部（１５，２５）が形成され、前記燃焼室ハウジング（１０）が規定の態様にしたがって前記ハウジング収容体（２）の中へと装着されるとき、前記燃焼室ハウジング（１０）の外面（１２）と前記ハウジング収容体（２）の内面（２２）との間の前記凹部（１５，２５）の領域の拡張空間（Ｅ）は、前記燃焼室ハウジング（１０）の所定の部位（１４）の変形によって、少なくとも一部が前記部位（１４）の材質で満たされる。【選択図】      図１ｄ
2010540311.tif 000002
【特許請求の範囲】
【請求項１】
車両のエアバッグモジュール用燃焼室ユニットであって、
燃焼室を取り囲む燃焼室ハウジングと、前記燃焼室ハウジングが収容されるハウジング収容体とを備え、
前記燃焼室ハウジングの外面が前記ハウジング収容体の内面に沿って延在し、
前記燃焼室ハウジングを規定の態様にしたがって前記ハウジング収容体の中へと装着することによって、一方では前記燃焼室ハウジングに、他方では前記ハウジング収容体にそれぞれ設けられた吐出領域が空間的に互いに連通し、前記燃焼室で発生したガスは、ガスバッグを膨張させるべく、前記燃焼室ハウジング及び前記ハウジング収容体の吐出領域を通じて吐出可能とされ、
前記燃焼室ハウジング（１０）および／または前記ハウジング収容体（２）に少なくとも１つの凹部（１５，２５）が形成され、前記燃焼室ハウジング（１０）が規定の態様にしたがって前記ハウジング収容体（２）の中へと装着されるとき、前記燃焼室ハウジング（１０）の外面（１２）と前記ハウジング収容体（２）の内面（２２）との間の前記凹部（１５，２５）の領域の拡張空間（Ｅ）は、前記燃焼室ハウジング（１０）の所定の部位（１４）の変形によって、少なくとも一部が前記燃焼室ハウジング（１０）の前記部位（１４）の材質で満たされることを特徴とする燃焼室ユニット。
【請求項２】
請求項１に記載の燃焼室ユニットであって、
前記燃焼室ハウジング（１０）が前記ハウジング収容体（２）の中へと装着されるときに、前記ハウジング収容体（２）の前記内面（２２）が前記燃焼室ハウジング（１０）の前記外面（１２）に対して内側に向かう圧力を加え、このために前記燃焼室ハウジング（１０）の少なくとも一部が前記拡張空間（Ｅ）へと変形するように、前記ハウジング収容体（２）に対する前記燃焼室ハウジング（１０）の大きさが設定されていることを特徴とする燃焼室ユニット。
【請求項３】
請求項１又は２に記載の燃焼室ユニットであって、
前記ハウジング収容体に装着される前記燃焼室ハウジング（１０）は、少なくとも１つの空間上の方向について前記ハウジング収容体（２）を上回る大きさとされ、これにより前記ハウジング収容体（１）に前記燃焼室ハウジング（１０）が挿入されるときに、前記燃焼室ハウジング（１０）に対して内側に向かう圧力が作用することを特徴とする燃焼室ユニット。
【請求項４】
請求項３又は４に記載の燃焼室ユニットであって、
前記燃焼室ハウジング（１０）の少なくとも１つの部位（１４）が、前記圧力によって前記拡張空間（Ｅ）へと変形することを特徴とする燃焼室ユニット。
【請求項５】
請求項１から４のうちのいずれか一項に記載の燃焼室ユニットであって、
前記燃焼室ハウジング（１０）は、当該燃焼室ハウジング（１０）の部位（１４）で集中して変形し、前記ハウジング収容体（２）のうち前記部位（１４）の外側の内面（２２）に対して前記燃焼室ハウジング（１０）の外面（１２）が当接することによって、前記部位（１４）が拡張空間（Ｅ）へと変形可能とされることを特徴とする燃焼室ユニット。
【請求項６】
請求項１から５のうちのいずれか一項に記載の燃焼室ユニットであって、
少なくとも１つの凹部（２５）が前記ハウジング収容体（２）の内面（２２）におけるくぼみを形成し、このくぼみへと前記燃焼室ハウジング（１０）の所定の部位（１４）が変形可能とされていることを特徴とする燃焼室ユニット。
【請求項７】
請求項１から６のうちのいずれか一項に記載の燃焼室ユニットであって、
少なくとも１つの凹部（１５）が前記燃焼室ハウジング（１０）の外面（１２）におけるくぼみを形成し、このくぼみへと前記燃焼室ハウジング（１０）の所定の部位（１４）が変形可能とされていることを特徴とする燃焼室ユニット。
【請求項８】
請求項７に記載の燃焼室ユニットであって、
前記燃焼室ハウジング（１０）の前記部位（１４）は、少なくとも一部が前記凹部（１５）の１つに合致し、或いは直に接することを特徴とする燃焼室ユニット。
【請求項９】
請求項１から８のうちのいずれか一項に記載の燃焼室ユニットであって、
前記燃焼室ハウジング（１０）は、特に円筒面に沿って延在する外側シェル面としての管状の外側シェル面（１２）を有することを特徴とする燃焼室ユニット。
【請求項１０】
請求項１から９のうちのいずれか一項に記載の燃焼室ユニットであって、
前記ハウジング収容体（２）は、燃焼室ハウジングが挿入されるように構成され、これにより前記ハウジング収容体（２）の内面（２２）が、前記燃焼室ハウジング（１０）の外面（１２）に当接することを特徴とする燃焼室ユニット。
【請求項１１】
請求項９、又は請求項９ないし１０に記載の燃焼室ユニットであって、
前記燃焼室ハウジング（１０）は、前記ハウジング収容体（２）にその管軸（Ａ）に沿って挿入可能とされていることを特徴とする燃焼室ユニット。
【請求項１２】
請求項９から１１のうちのいずれか一項に記載の燃焼室ユニットであって、
前記凹部（１５，２５）が前記管軸（Ａ）に沿って延在していることを特徴とする燃焼室ユニット。
【請求項１３】
請求項１から１２のうちのいずれか一項に記載の燃焼室ユニットであって、
互いに離間して配置された複数の凹部（１５，２５）は、それぞれの場合に拡張空間（Ｅ）を規定するように設けられ、この拡張空間へと前記燃焼室ハウジング（１０）の１つの部位（１４）が変形可能とされることを特徴とする燃焼室ユニット。
【請求項１４】
請求項１から１３のうちのいずれか一項に記載の燃焼室ユニットであって、
前記燃焼室ハウジング（１０）は、拡張空間（Ｅ）へと少なくとも変形可能な部位（１４）の領域において、弾性的又は塑性的に変形可能となるように構成されていることを特徴とする燃焼室ユニット。
【請求項１５】
請求項１から１４のうちのいずれか一項に記載の燃焼室ユニットであって、
前記ハウジング収容体は、前記燃焼室（１）で発生したガス圧に対して前記燃焼室ハウジング（１０）よりも高い安定性を有し、これにより前記燃焼室（１）で発生したガス圧の影響下では、前記燃焼室ハウジング（１０）の外面（１２）を前記ハウジング収容体（２）の内面（２２）が保持することによって前記燃焼室ハウジング（１０）を安定させることが可能であることを特徴とする燃焼室ユニット。
【請求項１６】
請求項１から１５のうちのいずれか一項に記載の燃焼室ユニットであって、
吐出領域（１８，１８’，１８’’；２８）が吐出開口として形成されていることを特徴とする燃焼室ユニット。
【請求項１７】
請求項１６に記載の燃焼室ユニットであって、
前記燃焼室（１）でガスが発生する前に既に、前記燃焼室ハウジング（１０）及び前記ハウジング収容体（２）に前記吐出開口（１８，２８）が設けられていることを特徴とする燃焼室ユニット。
【請求項１８】
請求項１６に記載の燃焼室ユニットであって、
少なくとも幾つかの吐出開口（１８’，１８’’；２８）は、前記燃焼室（１）で発生したガス圧によって形成されることを特徴とする燃焼室ユニット。
【請求項１９】
請求項１８に記載の燃焼室ユニットであって、
吐出開口（２８）は、前記燃焼室（１）でガスが発生する前に前記ハウジング収容体（２）に既に設けられ、吐出開口（１８’，１８’’）は、前記燃焼室（１）で発生したガス圧によって形成されることを特徴とする燃焼室ユニット。
【請求項２０】
請求項１から１９のうちのいずれか一項に記載の燃焼室ユニットであって、
一方では前記燃焼室ハウジング（１）に、また他方では前記ハウジング収容体（２）に設けられた吐出領域（１８，２８）は、少なくとも一部が互いに重なり合うことを特徴とする燃焼室ユニット。
【請求項２１】
請求項１から２０のうちのいずれか一項に記載の燃焼室ユニットであって、
前記燃焼室ハウジングの吐出領域（１８，１８’）の少なくとも一部が、前記燃焼室ハウジング（１）のシェルに設けられていることを特徴とする燃焼室ユニット。
【請求項２２】
請求項１から２１のうちのいずれか一項に記載の燃焼室ユニットであって、
前記燃焼室ハウジングの吐出領域（１８’’）の少なくとも一部が、前記燃焼室ハウジング（１）の端面（１３ｂ）に設けられていることを特徴とする燃焼室ユニット。
【請求項２３】
請求項１から２２のうちのいずれか一項に記載の燃焼室ユニットであって、
少なくとも１つの凹部（１５，２５）に吐出領域が設けられていないことを特徴とする燃焼室ユニット。
【請求項２４】
請求項１から２３のうちのいずれか一項に記載の燃焼室ユニットであって、
前記燃焼室ハウジング（１０）のうち変形する少なくとも１つの部位（１４）に吐出領域が設けられていないことを特徴とする燃焼室ユニット。
【請求項２５】
請求項１から２４のうちのいずれか一項に記載の燃焼室ユニットであって、
前記ハウジング収容体（２）は、エアバッグモジュールのモジュールハウジング（３）の一体状の構成要素を形成することを特徴とする燃焼室ユニット。
【請求項２６】
請求項１から２５のうちのいずれか一項に記載の燃焼室ユニットであって、
前記燃焼室（１）に設けられた薬剤（Ｌ）を点火するための点火装置（７）が前記燃焼室（１）に連結され、前記燃焼室（１）及び前記点火装置（７）は、別個の組み付けブリグループとして互いに接続されることを特徴とする燃焼室ユニット。
【請求項２７】
請求項２５ないし２６に記載の燃焼室ユニットであって、
前記燃焼室（１）及び前記点火装置（７）は、前記モジュールハウジング（３）に形成された前記ハウジング収容体（２）に配設されていることを特徴とする燃焼室ユニット。
【請求項２８】
請求項２７に記載の燃焼室ユニットであって、
前記燃焼室（１）及び前記点火装置（７）は、前記ハウジング収容体（２）の管軸（Ａに沿って互いに配設されていることを特徴とする燃焼室ユニット。
【発明の詳細な説明】
【技術分野】
【０００１】
本発明は、請求項１の前文に記載の、車両のエアバッグモジュール用燃焼室ユニットに関するものである。
【背景技術】
【０００２】
そのような燃焼室ユニットは、燃焼室（燃焼チャンバー）を取り囲む燃焼室ハウジング（燃焼チャンバーユニット）と、燃焼室ハウジングが配設される燃焼室収容体とを含み、これにより燃焼室ハウジングの外面がハウジング収容体の内面に当接し、一方では燃焼室ハウジングに、他方ではハウジング収容体にそれぞれ吐出開口が設けられ、ハウジング収容体の中に燃焼室ハウジングが装着されることによって、それらの吐出領域が例えば互いに重なり合うことで互いに連通し、燃焼室で発生したガスは、エアバッグモジュールのガスバッグを膨張させるべく、燃焼室ハウジング及びハウジング収容体の吐出領域を通じて周辺部へと吐出可能とされる。
【０００３】
この場合、燃焼室ハウジングは、所定のアセンブリグループとされ、特に固形充填剤の形態の薬剤が設けられ、関連する点火装置による点火後にそこからガスが発生可能とされ、衝突の際に保護される人のためのガスクッションを形成するべく、そのガスでエアバッグモジュールのガスバッグが膨張可能とされる。燃焼室で発生したガスを周辺部に吐出し、これにより燃焼室で発生したガスをガスバッグ膨張用として使用可能とするように、例えば吐出開口の形態の前述の吐出領域が燃焼室ハウジングに設けられる。
【０００４】
対応するハウジング収容体への燃焼室の装着によって、或いは正確には燃焼室ハウジングの配置によって、燃焼室は、車両内又は車両での規定の位置での保持が可能とされる。例えば吐出開口の形態の更なる別の吐出領域がハウジング収容体に設けられ、これによりハウジング収容体は、燃焼室で発生して膨張するエアバッグへと吐出されるガスと衝突せず、そのハウジング収容体の吐出領域が燃焼室ハウジングの吐出領域と空間的に連通し、燃焼室ハウジングから流出したガスは、膨張するガスバッグをガスで充填するべく、引き続いてハウジング収容体の吐出領域を通じて流れることが許容される。
【０００５】
協働関係にある吐出領域は、一方では燃焼室ハウジングの構造によって、他方ではハウジング収容体の構造によって、互いに正確な位置調整がなされるのは必須とされず、対応する吐出領域同士がオフセットされてもよい。一方、対応するガスバッグを充填するべく、燃焼室ハウジングで発生したガスが前記吐出領域を通じて吐出されるように、協働関係にある吐出領域が互いに空間的に配置されることが重要とされる。
【発明の開示】
【発明が解決しようとする課題】
【０００６】
本発明は、前述のタイプの燃焼室ユニットにおいて、燃焼室ハウジングを簡便な手段によってハウジング収容体に確実に装着するという問題に基づいている。
【課題を解決するための手段】
【０００７】
本発明によれば、この問題は、請求項１に記載の特徴を有する燃焼室ユニットを構成することによって解決される。
【０００８】
このため、燃焼室ハウジングおよび／またはハウジング収容体に、少なくとも１つの凹部が形成され、燃焼室ハウジングの外面とハウジング収容体の内面との間のこの凹部の領域が拡張空間として規定され、その拡張空間は、ハウジング収容体に予定のように燃焼室ハウジングを配設する際に（従って、燃焼室ユニットの組み付けの間に）、燃焼室ハウジングの所定の部位が前記拡張空間へと変形することによって、少なくとも一部が前記燃焼室ハウジングの前記部位の材質ないし素材で満たされる（充填される）。
【０００９】
実際には、燃焼室ハウジング及び対応するハウジング収容体は、凹部によって規定される拡張空間で互いに係合することで、これら２つのアセンブリグループの規定の且つ常設の相対配置が可能とされる。従って、燃焼室ハウジングは、ハウジング収容体に対して規定の態様で固定される。
【００１０】
燃焼室ハウジング及びハウジング収容体の吐出領域は、互いに連通し、一方では最初から存在する吐出開口とされ、或いは、他方では、燃焼室ハウジングおよび／またはハウジング収容体のうち、燃焼室ハウジングにおける薬剤燃焼時に生じる圧力によってのみ吐出開口が形成される領域とされる。特に、吐出開口が最初から確実にハウジング収容体に存在するように構成されることが可能である一方、燃焼室ハウジングの壁部に作用し、且つ、燃焼室ハウジングに設けられた薬剤のガスバッグ膨張用ガスへの化学変化で生じる圧力によってのみ、燃焼室ハウジングに対応する吐出開口が形成されるように構成され得る。
【００１１】
実際には、ＤＥ  ２０  ２００５  ０１１  ６５７  Ｕ１において、ガスジェネレータスクリーンインサートが公知であり、断面が環状リング形に形成され、複数の拡張空間を形成するべく内側に延在する切込みを有する一方で、これらの拡張空間にガスジェネレータの別の構成要素の変形領域が形成されず、拡張空間はむしろ分散開口にガスを供給する機能を果たす。従って、スクリーンインサートがオープンリングとして構成されることで、寸法差の補正が可能とされる。
【００１２】
燃焼室ハウジングは、その外面寸法がハウジング収容体の内側寸法に対応する大きさとされ、ハウジング収容体の内面が、当該ハウジング収容体への燃焼室ハウジングの装着時に、燃焼室ハウジングの外面に対して内側に向かう圧力を加え、またこの効果によって、燃焼室ハウジングの少なくとも一部がこの圧力作用下で拡張空間へと変形する。従って、正確にはハウジング収容体に配設される燃焼室ハウジングは、その外側寸法がハウジング収容体の少なくとも１つの空間上の方向に沿った内側寸法よりも大きいオーバーサイズとされ、これにより、ハウジング収容体への燃焼室ハウジングの挿入時において、前記オーバーサイズを補正するべく、燃焼室ハウジングに対して内側に向かう圧力が作用する一方、燃焼室ハウジングの前述の少なくとも一部が、対応する拡張空間へと変形する。
【００１３】
このため、燃焼室ハウジングの変形は、燃焼室ハウジングのうち対応する拡張空間へとそれぞれ変形可能な部位に集中し、燃焼室ハウジングは、そのような部位の外側においてその外面がそれぞれハウジング収容体の内面に対して規定の態様で当接する。ハウジング収容体に対して燃焼室ハウジングが保持されることで、燃焼室ハウジングのうち前述の部位の外側の変形が緩和される。
【００１４】
拡張空間の構造のために設けられる凹部は、例えばハウジング収容体の内面のくぼみとして設けられ、そのくぼみへと燃焼室ハウジングの所定の部位が変形可能とされる。他方では、少なくとも１つの凹部は、燃焼室ハウジング外面のくぼみによって形成されてもよく、そのくぼみへと燃焼室ハウジング自体の所定の部位が変形可能とされ、燃焼室ハウジングの前記部位は直接的に接し、或いは前記くぼみの境界壁の一部を形成する。
【００１５】
本発明の一実施の形態によれば、燃焼室ハウジングは、管状のシェルを備え、且つ、ハウジング収容体の中に配設され、そのハウジング収容体の内面は、燃焼室ハウジング又はハウジング収容体が拡張空間を規定する凹部を有する局部領域を除いて、管状のシェルの外面に当接する。このため、燃焼室ハウジングは、管軸に沿ってハウジング収容体の中への挿入が可能とされる。この場合、対応する凹部は、管軸に沿って、且つ少なくとも管状のシェルの長さの一部に沿って、適用可能ならばシェルの全長に沿って延在するのが好ましい。
【００１６】
所定の凹部においては、燃焼室ハウジングの一部が、好ましくは吐出領域又は吐出開口が形成されていない部位へと変形され、これにより燃焼室ハウジングの所定の部位は、吐出領域又は吐出開口のそれぞれの不確定な位置では変形しない。
【００１７】
燃焼室ハウジングの少なくとも一部が所定の拡張空間へと変形するために、燃焼室ハウジングは、少なくとも一部が弾性的および／または塑性的に変形可能となるように構成され得る。
【００１８】
このため、燃焼室ハウジングは、例えば点火装置のような別の構成要素に連結されたガスジェネレータに一体とされる必要はなく、これによりハウジング収容体は、特定のガスジェネレータハウジングによって形成される。また必要により、燃焼室は、モジュールハウジングの収容体の中に、直接且つ別個に、又はガスジェネレータの別の構成要素から独立して配設され、更にその収容体に又は収容体中に膨張するガスバッグが設けられ、或いは、特にハウジング収容体として構成される車両周辺部、例えばダッシュボード又は側面ドア構造の領域に、燃焼室を設けることができる。
【００１９】
本発明の更なる詳細点や利点は、図面に基づく実施形態の説明によって明確化される。
【図面の簡単な説明】
【００２０】
【図１ａ】エアバッグモジュール用燃焼室の燃焼室ハウジングの斜視図である。
【図１ｂ】図１ａの燃焼室用のハウジング収容体の断面図である。
【図１ｃ】図１ｂのハウジング収容体の長手方向の断面図である。
【図１ｄ】図１ａの燃焼室が、図１ｂ及び図１ｃのハウジング収容体に配設された場合の断面図である。
【図２ａ】図１ａの燃焼室の変更例を示す斜視図である。
【図２ｂ】図２ｂの燃焼室用のハウジング収容体の断面図である。
【図２ｃ】図２ａの燃焼室が、図２ｂのハウジング収容体に配設された場合の断面図である。
【図３】図２ａの燃焼室の更なる別の実施形態を示す図である。
【図４ａ】燃焼室を収容するハウジング収容体を同時に形成するエアバッグモジュールのモジュールハウジングの断面図である。
【図４ｂ】図４ａの装置の長手方向の断面図である。
【図５】図４ａ及び図４ｂの装置の変更例の長手方向の断面図である。
【発明を実施するための形態】
【００２１】
図１ａには、エアバッグモジュール用の燃焼室１（「燃焼チャンバー」ともいう）のハウジング１０の斜視図が示されており、その内部には、特にいわゆる固形充填剤とされる薬剤が設けられており、その固形充填剤の点火後の化学反応によってガスが発生し、そのガスは、エアバッグモジュールのガスバッグを膨張させるのに使用される。このバスバッグは、膨張状態において人を保護するためのガスクッションを形成する。
【００２２】
燃焼室ハウジング１０は、本実施の形態では管状（「チューブ状」ともいう）に形成されるとともに、外面（シェル面１２）を備えており、この外面は、円筒面を形成し、且つ、ハウジング１０の第１端面１３ａと第２端面１３ｂとの間で管軸Ａ（「筒軸」ともいう）に沿って延在している。
【００２３】
燃焼室ハウジング１０（「燃焼チャンバーハウジング」ともいう）には、シェル面１２に分散配置された吐出開口１８の形態の複数の吐出領域ないし吐出部が設けられており、燃焼室１で発生したガス、すなわち燃焼室ハウジング１０によって取り囲まれた空間で発生したガスは、エアバッグモジュールのガスバッグを膨張可能とするべく、この吐出領域（吐出開口）を通じて周辺部へと吐出され得る。
【００２４】
燃焼室１又はその燃焼室ハウジング１０はそれぞれ、図１ｂ及び図１ｃが参照されるように、ハウジング収容体２の中に装着されるように構成され、従ってそのハウジング収容体は、燃焼室ハウジングのシェル面１２に適合される内面２２を有する収容領域２０を備えており、これにより燃焼室１がハウジング収容体２に挿入されたとき、すなわち燃焼室ハウジング１０が図１ｄに示すように収容領域２０に挿入されたときには、燃焼室ハウジング１０は、その外側シェル面１２がハウジング収容体２の収容領域２０の内面２２に当接する。従って、収容領域２０の内面２２もまた、円筒面に沿って延在している。ハウジング収容体２の収容領域２０への燃焼室ハウジング１０の挿入は、例えば燃焼室１をその管軸Ａに沿って収容領域２０へと挿入することによって行なわれ、その際には、燃焼室ハウジング１０が収容領域２０の長軸Ｌに沿って移動する。
【００２５】
図１ｂ、図１ｃ及び図１ｄに示されるように、ハウジング収容体２の収容領域２０は、長尺状に延在する溝部の形態でその長軸Ｌに沿って延在する凹部（「へこみ」或いは「くぼみ」ともいう）２５を備えており、これにより収容領域２０の内面２２は、前記凹部２５に沿った形状が円筒形又は断面円形になっていない。
【００２６】
図１ｄによれば、凹部２５は拡張空間Ｅを規定し、燃焼室１が（アセンブリ化ないし組み付けのために）ハウジング収容体２の収容領域２０へと挿入される際には、燃焼室ハウジング１０の所定の部位１４はこの拡張空間への変形が可能とされる。このため、収容領域２０への燃焼室ハウジングの挿入時において、燃焼室１０の所定の部位４０の変形が生じ、燃焼室１は、その断面においては、すなわち本実施の形態では管軸Ａに関する径方向の延在部分においては、収容領域２０に対して、すなわち本実施の形態では収容領域２０の内径に対して、明らかに大きな形状を有している。このため、燃焼室ハウジング１０の外面のシェル面１２は、収容領域２０への燃焼室ハウジング１０の挿入時には、締り嵌めの形態で収容領域２０の内面２２に配置され、これによりこの内面２２は、燃焼室ハウジング１０の外面のシェル面１２に対して、管軸Ａ又は長軸Ｌのそれぞれに関し径方向内方に所定荷重を加える。この荷重の影響下において、適正な薄壁状の燃焼室ハウジング１０は、好ましくは金属材料、特にはアルミニウム、銅、鋼鉄からなり、変形特性を有している。従って、この燃焼室ハウジング１０は、燃焼室ハウジングのうち少なくとも変形する部位１４の領域において、弾性的又は塑性的に変形可能となるように構成されている。
【００２７】
燃焼室ハウジング１０は、その外側シェル面１２においてほぼ完全に収容領域２０の内面２２に当接するため、その一方で、図１ｄが参照されるように、収容領域２０の凹部２５によって形成される拡張空間Ｅに隣接する少なくとも１つの部位１４において、燃焼室ハウジング１０が選択的に変形する。このため、前記部位１４は、燃焼室ハウジング１０の前記部位１４が更に変形するような過大な圧力荷重が生じることなく、燃焼室ハウジング１０がその後に外側シェル面１２においてハウジング収容体２の収容領域２０の内面２２に当接するような大きさへと自動的に変形する。
【００２８】
換言すれば、燃焼室ハウジング１０の外側シェル面１２は、ハウジング収容体２へのその挿入時には、収容領域２０の凹部２２によって形成される拡張空間Ｅへと燃焼室ハウジング１０の所定の部位１４が変形すると同時に、収容領域２０の内面２２に選択的に収容される。このため、ハウジング収容体２への燃焼室１の挿入時に、有効空間の寸法差を補正することができ、ハウジング収容体２の内面２２に対する燃焼室１の外側シェル面１２の規定の保持状態（静止状態）が常に確保される。更に、この燃焼室ハウジング１０は、特に、周方向についてハウジング収容体２又はその収容領域２０との位置調整がなされ、これにより燃焼室ハウジング１０及びハウジング収容体２０の吐出開口１８，２８は、互いに連通し、互いに規定の態様で配置され、燃焼室１の内部でのガス発生時にそれぞれに高圧が作用した場合であってもその相対位置を保持する。
【００２９】
燃焼室ハウジング１０の内部のガス発生の間では、この燃焼室ハウジングは、ガス発生に関する圧力影響下において、収容領域２０の内面２２に対してより強固に当接し、一方では、ハウジング収容体２に対する燃焼室の相対位置が不用意に変化することがなく、これは、燃焼室１がその変形した部位１４を介して、ポジティブロック（凸状部分による係合固定）の形態で、ハウジング収容体２の内面２２の少なくとも１つの凹部２５に係合するからである。すなわち、ハウジング収容体の吐出開口２８に対する燃焼室の吐出開口１８の規定された相対位置もまた、燃焼室１の作動の間は常に確保される。このため、対応する薄壁状で且つより容易な変形が可能な燃焼室１が、常にハウジング収容体２の内面２２を取り囲む領域全体にわたって当接するならば、特に適切とされる。
【００３０】
このようにして、燃焼室ハウジング１０の吐出開口１８を通じて流れたガスが、その後に、それに連通するハウジング収容体２の吐出開口２８に達する構成が確保される。
【００３１】
１つのないし単一の変形部分２５の場合でも、収容領域２０の円周に沿って分散された複数の凹部が設けることができ、その凹部へと燃焼室ハウジングの所定の部位１４が（それぞれ）変形可能とされる。また、厳密な幾何学形状、前記凹部２５の空間上の配置や範囲（大きさ）は、変更されてもよい。
【００３２】
更に、適宜には、燃焼室ハウジング１０のそのような複数の部位１４の領域に、例えばエンボスの形態のような材質的な脆弱部分を設けてもよく、そのような複数の部位１４は、特定の部位１４における燃焼室ハウジング１０の選択的な変形を改良するべく、それぞれが対応する凹部２５へと変形する。
【００３３】
ハウジング収容体２は、燃焼室ハウジング１０と対比して寸法的により安定した材料からなり、これにより燃焼室ハウジング１０（その変形可能な部位１４を含む）が収容領域２０の内面２２（少なくとも１つの凹部２５を含む）上に保持されることができ、このハウジング収容体２は、特に、固形充填剤が燃焼室ハウジング１０の内部において化学反応によって圧力ガスへと変化する場合に生じる圧力に対抗しなければならない。
【００３４】
ハウジング収容体は、例えば適切な固形状のプラスチック又はマグネシウムからなり、また例えば、発生したガスによって膨張するガスバッグを収容する機能を更に果たすモジュールハウジングの一構成要素を形成してもよい。
【００３５】
このようにして、特に、燃焼室ハウジング１０と、その中に配置される、例えば固形状の薬剤とを有する燃焼室１は、ガス発生機能を有するガスジェネレータの更なる構成要素として個別に、且つ、図４ａ及び図４ｂの以下の注釈が参照されるように、例えば膨張するガスバッグのようにガスジェネレータから独立した構成要素を収容するための更なる機能を果たすモジュールハウジングに直接的に配設されてもよい。
【００３６】
燃焼基体ハウジング１０のうち変形する部位１４と、その中へと前記部位１４が変形する凹部２５には、吐出開口を設けないのが好ましい。
【００３７】
図２ａから図２ｃには、図１ａから図１ｄの装置の変更例が示されており、本質的な相違点として、図２ａから図２ｃによれば、拡張空間Ｅを形成する凹部１５が燃焼室１の外側シェル面１２に設けられており、図１ａから図１ｄの場合のようにハウジング収容体２の内面２２に設けられていない点が挙げられる。このため、図２ｃに示されるように、ハウジング収容体２の収容領域２０への燃焼室ハウジング１０（その燃焼室ハウジングがハウジング収容体２に対して明らかに大きいサイズで構成されている）の挿入時において、燃焼室ハウジング１０の所定の部位１４が、燃焼室ハウジング１０自体の凹部１５によって形成された拡張空間Ｅで変形し、このためこの拡張空間Ｅは、図１ｄの場合のように、少なくとも一部が燃焼室ハウジング１０の材質ないし素材で満たされる（充填される）。このため、この場合に変形する部位１４は、燃焼室ハウジング１０のうち凹部１５又はそのような当接部分がそれぞれ設けられる領域の一構成要素を形成し、これにより凹部１５によって形成された拡張空間Ｅへの前記部位１４の変形が可能とされる。
【００３８】
図３には、最後に図２ａの燃焼室ハウジング１０の更なる別の実施形態が示されており、その実施形態では、複数の凹部１５がそれぞれ拡張空間Ｅを形成しており、また各拡張空間Ｅへとそれぞれ変形可能な複数の材質部分１４が燃焼室ハウジング１０の円周に沿って順次に配設されており、個別の材質部分１４又は凹部１５は、それぞれの場合において、燃焼室ハウジング１０の管軸Ｅに沿って延在している（また、このためその長さの一部にわたって、或いはその全長にわたって延在している）。
【００３９】
既に述べたように、複数の凹部２５は、図１ａから図１ｄに示す実施形態において、ハウジング収容体２の収容領域２０の円周に沿って順次に配設されてもよく、そこでは変形する部位１４が、燃焼室ハウジングの外側シェル面１２上に設けられなければならない。
【００４０】
図４ａ及び図４ｂには、燃焼室１のためのハウジング収容体２が示されており、そのハウジング収容体は、モジュールハウジング用のモジュールハウジング３上に一体状に形成されている。
【００４１】
モジュールハウジング３（例えば、プラスチック又はマグネシウムからなるハウジング）は、エアバッグモジュールのガスバッグを収容するための空間３０を公知の形態で形成し、そのガスバッグは、所定のガスバッグ包体が折り畳まれたものであり、またモジュール３の側壁部から延出するベース面３２と、モジュールカバーによって閉鎖可能とされるとともにベース面３２に対向する開口カバー面３５とを備えている。モジュールハウジング３へのモジュールカバーの取り付けのために、キャッチフック式の形状フィット要素（形状適合要素）３６が設けられており、その形状フィット要素は、開口カバー面３５の領域において、モジュールハウジング３の側壁部から突出している。
【００４２】
長尺状に延在する管状のハウジング収容体２は、モジュールハウジング３のベース面３２に一体状に形成されており、そのハウジング収容体は、第１及び第２端面２３ａ，２３ｂの間に延在しており、またそのハウジング収容体には、燃焼室１がそのハウジング１０とともに収容されている。
【００４３】
このため、燃焼室１及びそのハウジング１０はそれぞれ、ハウジング収容体２の全長に沿って延在しない。実際には、燃焼室１の延在部分は、ハウジング収容体２の延在方向については、ハウジング収容体２自体の延在部分よりも短い。これは、ハウジング収容体２の２つの端面２３ａ，２３ｂ（軸端部）が、ハウジング収容体２に収容された燃焼室ハウジング１０の２つの端面１３ａ，１３ｂ（軸端部）よりも軸長さが大きいことを意味しており、この燃焼室ハウジング１０に固形充填剤Ｌの形態の薬剤が配設される。
【００４４】
ハウジング収容体２の端面２３ａ又は軸端部の領域はそれぞれ、開放された自由端領域とされ、ハウジング７０においてイグナイター７２を有する点火装置７と、点火手段を収容するチャンバー（室）７５とを収容するための機能を果たす。このイグナイターのハウジング７０は、燃焼室ハウジング１０の端面１３ａ又は軸端部にそれぞれ、（耐ガス構造の形態で）接続されている。
【００４５】
図４ａ及び図４ｂに示される装置の弁別的な特徴としては、モジュールハウジング３とは別体のガスジェネレータ用のジェネレータハウジングを別個に設けることがなく、また一方ではハウジング１０及び固形充填剤Ｌの形態の薬剤を備える燃焼室１が、他方では点火装置７が、２つのアセンブリグループ（ないし組み付けグループ）として、燃焼室１及び点火装置７のためのハウジング収容体２に配設され、そのハウジング収容体２がモジュールハウジング３と一体状に形成されている。
【００４６】
更なる別の弁別的な特徴として、最初の段階では、燃焼室１に設けられた薬剤の点火後にガスが流出するガス用の吐出開口は、燃焼室ハウジング１０に設けられない。実際には、まさに初期段階から燃焼室収容体２に吐出開口２８が設けられ、燃焼室１で発生したガスはその吐出開口を通じて膨張するガスバッグへと案内される。
【００４７】
燃焼室ハウジングでは、燃焼室１に設けられた薬剤が点火装置７によって点火時、点火後においてのみ、対応する吐出開口１８’が形成され、そこからガスが発生し、燃焼室１の圧力が急激に上昇し、薄壁状の燃焼室ハウジング１０がハウジング収容体２によって支持されない部位において、すなわちハウジング収容体の吐出開口２８のうち燃焼室ハウジング１０に対向する側において破断し、これにより吐出開口１８’は、ハウジング収容体の吐出開口２８に重なり合うように形成される。
【００４８】
このため、局部的な薬剤の点火後に燃焼室１で放出されたガスは、ちょうど先程形成された燃焼室ハウジングの吐出開口１８’と、ハウジング収容体の吐出開口２８とを通じて、モジュールハウジング３の内部の空間３０へと流れ、その内部の空間３０はガスバッグを収容する機能を有し、そのガスは熱遮蔽部材（熱シールド）４、フィルター５、拡散器（ディフューザー）６を介して、膨張するガスバッグへと案内される。
【００４９】
図５には、図４ａ及び図４ｂの装置の変更例が示されており、この変更例では、燃焼室ハウジング１０に（ガス圧の作用下で）形成される少なくとも１つの吐出開口１８’’は、図４ａ及び図４ｂの場合のように燃焼室ハウジング１０のシェル面に設けられるのではなく、燃焼室ハウジング１０の端面１３ｂにおいて、燃焼室１で発生したガスがそこから燃焼室１で規定される管軸に沿って吐出されるように設けられている。
【００５０】
上述の実施形態では、燃焼室ハウジング１０の吐出開口１８，１８’がそれぞれの場合において、前記吐出開口１８，１８’からのガスがそれぞれ燃焼室ハウジング１０で規定される管軸に関して径方向に吐出されるようにシェル面に形成されるのに対して、図５に示す実施形態では、少なくとも１つの吐出開口１８’’は、燃焼室１で発生したガスがこの吐出開口１８’’を通じて（管軸に沿って）軸方向に吐出されるように燃焼室ハウジング１０の端面に配設されている。前記ガスは、ハウジング収容体２の端面２３ｂに設けられたチャンバー（室）２４に達し、そのチャンバーからハウジング収容体に（径方向に）設けられた少なくとも１つの吐出開口２８を通り、熱遮蔽部材４、フィルター５、拡散器６を介して、膨張するガスバッグへと流れる。従って、前記チャンバー２４は、燃焼室ハウジング１０の端面１３ｂに連接して配置され、このチャンバーでは、燃焼室１で発生したガスのガス圧の作用によって、燃焼室ハウジングに少なくとも１つの吐出開口１８’’が形成される。
【符号の説明】
【００５１】
１  燃焼室
２  ハウジング収容体
３  モジュールハウジング
４  熱遮蔽部材
５  フィルター
６  拡散器
７  点火装置
１０  燃焼室ハウジング
１２  （外側）シェル面
１３ａ  第１（端面）
１３ｂ  第２（端面）
１４  部位
１５  凹部
１８  吐出開口
１８’  吐出開口
１８’’  吐出開口
２０  収容領域
２２  内面
２３ａ  第１（端面）
２３ｂ  第２（端面）
２４  チャンバー
２５  凹部
２８  吐出開口
３０  空間部
３２  ベース面
３５  開口カバー面
３６  形状フィット要素
７０  ハウジング
７２  イグナイター
７５  チャンバー
Ａ  管軸
Ｅ  拡張空間
Ｌ  薬剤（固形充填剤）
【図１ａ】
2010540311.tif 000003
【図１ｂ】
2010540311.tif 000004
【図１ｃ】
2010540311.tif 000005
【図１ｄ】
2010540311.tif 000006
【図２ａ】
2010540311.tif 000007
【図２ｂ】
2010540311.tif 000008
【図２ｃ】
2010540311.tif 000009
【図３】
2010540311.tif 000010
【図４ａ】
2010540311.tif 000011
【図４ｂ】
2010540311.tif 000012
【図５】
2010540311.tif 000013
【手続補正書】
【提出日】平成22年7月28日(2010.7.28)
【手続補正１】
【補正対象書類名】明細書
【補正対象項目名】全文
【補正方法】変更
【補正の内容】
【発明の詳細な説明】
【技術分野】
【０００１】
本発明は、請求項１の前文に記載の、車両のエアバッグモジュール用燃焼室ユニットに関するものである。
【背景技術】
【０００２】
そのような燃焼室ユニットは、燃焼室（燃焼チャンバー）を取り囲む燃焼室ハウジング（燃焼チャンバーユニット）と、燃焼室ハウジングが配設される燃焼室収容体とを含み、これにより燃焼室ハウジングの外面がハウジング収容体の内面に当接し、一方では燃焼室ハウジングに、他方ではハウジング収容体にそれぞれ吐出開口が設けられ、ハウジング収容体の中に燃焼室ハウジングが装着されることによって、それらの吐出領域が例えば互いに重なり合うことで互いに連通し、燃焼室で発生したガスは、エアバッグモジュールのガスバッグを膨張させるべく、燃焼室ハウジング及びハウジング収容体の吐出領域を通じて周辺部へと吐出可能とされる。
【０００３】
この場合、燃焼室ハウジングは、所定のアセンブリグループとされ、特に固形充填剤の形態の薬剤が設けられ、関連する点火装置による点火後にそこからガスが発生可能とされ、衝突の際に保護される人のためのガスクッションを形成するべく、そのガスでエアバッグモジュールのガスバッグが膨張可能とされる。燃焼室で発生したガスを周辺部に吐出し、これにより燃焼室で発生したガスをガスバッグ膨張用として使用可能とするように、例えば吐出開口の形態の前述の吐出領域が燃焼室ハウジングに設けられる。
【０００４】
対応するハウジング収容体への燃焼室の装着によって、或いは正確には燃焼室ハウジングの配置によって、燃焼室は、車両内又は車両での規定の位置での保持が可能とされる。例えば吐出開口の形態の更なる別の吐出領域がハウジング収容体に設けられ、これによりハウジング収容体は、燃焼室で発生して膨張するエアバッグへと吐出されるガスと衝突せず、そのハウジング収容体の吐出領域が燃焼室ハウジングの吐出領域と空間的に連通し、燃焼室ハウジングから流出したガスは、膨張するガスバッグをガスで充填するべく、引き続いてハウジング収容体の吐出領域を通じて流れることが許容される。
【０００５】
協働関係にある吐出領域は、一方では燃焼室ハウジングの構造によって、他方ではハウジング収容体の構造によって、互いに正確な位置調整がなされるのは必須とされず、対応する吐出領域同士がオフセットされてもよい。一方、対応するガスバッグを充填するべく、燃焼室ハウジングで発生したガスが前記吐出領域を通じて吐出されるように、協働関係にある吐出領域が互いに空間的に配置されることが重要とされる。
【発明の開示】
【発明が解決しようとする課題】
【０００６】
本発明は、前述のタイプの燃焼室ユニットにおいて、燃焼室ハウジングを簡便な手段によってハウジング収容体に確実に装着するという問題に基づいている。
【課題を解決するための手段】
【０００７】
本発明によれば、この問題は、請求項１に記載の特徴を有する燃焼室ユニットを構成することによって解決される。
【０００８】
このため、燃焼室ハウジングおよび／またはハウジング収容体に、少なくとも１つの凹部が形成され、燃焼室ハウジングの外面とハウジング収容体の内面との間のこの凹部の領域が拡張空間として規定され、その拡張空間は、ハウジング収容体に予定のように燃焼室ハウジングを配設する際に（従って、燃焼室ユニットの組み付けの間に）、燃焼室ハウジングの所定の部位が前記拡張空間へと変形することによって、少なくとも一部が前記燃焼室ハウジングの前記部位の材質ないし素材で満たされる（充填される）。
【０００９】
実際には、燃焼室ハウジング及び対応するハウジング収容体は、凹部によって規定される拡張空間で互いに係合することで、これら２つのアセンブリグループの規定の且つ常設の相対配置が可能とされる。従って、燃焼室ハウジングは、ハウジング収容体に対して規定の態様で固定される。
【００１０】
燃焼室ハウジング及びハウジング収容体の吐出領域は、互いに連通し、一方では最初から存在する吐出開口とされ、或いは、他方では、燃焼室ハウジングおよび／またはハウジング収容体のうち、燃焼室ハウジングにおける薬剤燃焼時に生じる圧力によってのみ吐出開口が形成される領域とされる。特に、吐出開口が最初から確実にハウジング収容体に存在するように構成されることが可能である一方、燃焼室ハウジングの壁部に作用し、且つ、燃焼室ハウジングに設けられた薬剤のガスバッグ膨張用ガスへの化学変化で生じる圧力によってのみ、燃焼室ハウジングに対応する吐出開口が形成されるように構成され得る。
【００１１】
実際には、ＤＥ  ２０  ２００５  ０１１  ６５７  Ｕ１において、ガスジェネレータスクリーンインサートが公知であり、断面が環状リング形に形成され、複数の拡張空間を形成するべく内側に延在する切込みを有する一方で、これらの拡張空間にガスジェネレータの別の構成要素の変形領域が形成されず、拡張空間はむしろ分散開口にガスを供給する機能を果たす。従って、スクリーンインサートがオープンリングとして構成されることで、寸法差の補正が可能とされる。
【００１２】
燃焼室ハウジングは、その外面寸法がハウジング収容体の内側寸法に対応する大きさとされ、ハウジング収容体の内面が、当該ハウジング収容体への燃焼室ハウジングの装着時に、燃焼室ハウジングの外面に対して内側に向かう圧力を加え、またこの効果によって、燃焼室ハウジングの少なくとも一部がこの圧力作用下で拡張空間へと変形する。従って、正確にはハウジング収容体に配設される燃焼室ハウジングは、その外側寸法がハウジング収容体の少なくとも１つの空間上の方向に沿った内側寸法よりも大きいオーバーサイズとされ、これにより、ハウジング収容体への燃焼室ハウジングの挿入時において、前記オーバーサイズを補正するべく、燃焼室ハウジングに対して内側に向かう圧力が作用する一方、燃焼室ハウジングの前述の少なくとも一部が、対応する拡張空間へと変形する。
【００１３】
このため、燃焼室ハウジングの変形は、燃焼室ハウジングのうち対応する拡張空間へとそれぞれ変形可能な部位に集中し、燃焼室ハウジングは、そのような部位の外側においてその外面がそれぞれハウジング収容体の内面に対して規定の態様で当接する。ハウジング収容体に対して燃焼室ハウジングが保持されることで、燃焼室ハウジングのうち前述の部位の外側の変形が緩和される。
【００１４】
拡張空間の構造のために設けられる凹部は、例えばハウジング収容体の内面のくぼみとして設けられ、そのくぼみへと燃焼室ハウジングの所定の部位が変形可能とされる。他方では、少なくとも１つの凹部は、燃焼室ハウジング外面のくぼみによって形成されてもよく、そのくぼみへと燃焼室ハウジング自体の所定の部位が変形可能とされ、燃焼室ハウジングの前記部位は直接的に接し、或いは前記くぼみの境界壁の一部を形成する。
【００１５】
本発明の一実施の形態によれば、燃焼室ハウジングは、管状のシェルを備え、且つ、ハウジング収容体の中に配設され、そのハウジング収容体の内面は、燃焼室ハウジング又はハウジング収容体が拡張空間を規定する凹部を有する局部領域を除いて、管状のシェルの外面に当接する。このため、燃焼室ハウジングは、管軸に沿ってハウジング収容体の中への挿入が可能とされる。この場合、対応する凹部は、管軸に沿って、且つ少なくとも管状のシェルの長さの一部に沿って、適用可能ならばシェルの全長に沿って延在するのが好ましい。
【００１６】
所定の凹部においては、燃焼室ハウジングの一部が、好ましくは吐出領域又は吐出開口が形成されていない部位へと変形され、これにより燃焼室ハウジングの所定の部位は、吐出領域又は吐出開口のそれぞれの不確定な位置では変形しない。
【００１７】
燃焼室ハウジングの少なくとも一部が所定の拡張空間へと変形するために、燃焼室ハウジングは、少なくとも一部が弾性的および／または塑性的に変形可能となるように構成され得る。
【００１８】
このため、燃焼室ハウジングは、例えば点火装置のような別の構成要素に連結されたガスジェネレータに一体とされる必要はなく、これによりハウジング収容体は、特定のガスジェネレータハウジングによって形成される。また必要により、燃焼室は、モジュールハウジングの収容体の中に、直接且つ別個に、又はガスジェネレータの別の構成要素から独立して配設され、更にその収容体に又は収容体中に膨張するガスバッグが設けられ、或いは、特にハウジング収容体として構成される車両周辺部、例えばダッシュボード又は側面ドア構造の領域に、燃焼室を設けることができる。
【００１９】
本発明の更なる詳細点や利点は、図面に基づく実施形態の説明によって明確化される。
【図面の簡単な説明】
【００２０】
【図１ａ】エアバッグモジュール用燃焼室の燃焼室ハウジングの斜視図である。
【図１ｂ】図１ａの燃焼室用のハウジング収容体の断面図である。
【図１ｃ】図１ｂのハウジング収容体の長手方向の断面図である。
【図１ｄ】図１ａの燃焼室が、図１ｂ及び図１ｃのハウジング収容体に配設された場合の断面図である。
【図２ａ】図１ａの燃焼室の変更例を示す斜視図である。
【図２ｂ】図２ａの燃焼室用のハウジング収容体の断面図である。
【図２ｃ】図２ａの燃焼室が、図２ｂのハウジング収容体に配設された場合の断面図である。
【図３】図２ａの燃焼室の更なる別の実施形態を示す図である。
【図４ａ】燃焼室を収容するハウジング収容体を同時に形成するエアバッグモジュールのモジュールハウジングの断面図である。
【図４ｂ】図４ａの装置の長手方向の断面図である。
【図５】図４ａ及び図４ｂの装置の変更例の長手方向の断面図である。
【発明を実施するための形態】
【００２１】
図１ａには、エアバッグモジュール用の燃焼室１（「燃焼チャンバー」ともいう）のハウジング１０の斜視図が示されており、その内部には、特にいわゆる固形充填剤とされる薬剤が設けられており、その固形充填剤の点火後の化学反応によってガスが発生し、そのガスは、エアバッグモジュールのガスバッグを膨張させるのに使用される。このバスバッグは、膨張状態において人を保護するためのガスクッションを形成する。
【００２２】
燃焼室ハウジング１０は、本実施の形態では管状（「チューブ状」ともいう）に形成されるとともに、外面（シェル面１２）を備えており、この外面は、円筒面を形成し、且つ、ハウジング１０の第１端面１３ａと第２端面１３ｂとの間で管軸Ａ（「筒軸」ともいう）に沿って延在している。
【００２３】
燃焼室ハウジング１０（「燃焼チャンバーハウジング」ともいう）には、シェル面１２に分散配置された吐出開口１８の形態の複数の吐出領域ないし吐出部が設けられており、燃焼室１で発生したガス、すなわち燃焼室ハウジング１０によって取り囲まれた空間で発生したガスは、エアバッグモジュールのガスバッグを膨張可能とするべく、この吐出領域（吐出開口）を通じて周辺部へと吐出され得る。
【００２４】
燃焼室１又はその燃焼室ハウジング１０はそれぞれ、図１ｂ及び図１ｃが参照されるように、ハウジング収容体２の中に装着されるように構成され、従ってそのハウジング収容体は、燃焼室ハウジングのシェル面１２に適合される内面２２を有する収容領域２０を備えており、これにより燃焼室１がハウジング収容体２に挿入されたとき、すなわち燃焼室ハウジング１０が図１ｄに示すように収容領域２０に挿入されたときには、燃焼室ハウジング１０は、その外側シェル面１２がハウジング収容体２の収容領域２０の内面２２に当接する。従って、収容領域２０の内面２２もまた、円筒面に沿って延在している。ハウジング収容体２の収容領域２０への燃焼室ハウジング１０の挿入は、例えば燃焼室１をその管軸Ａに沿って収容領域２０へと挿入することによって行なわれ、その際には、燃焼室ハウジング１０が収容領域２０の長軸Ｌに沿って移動する。
【００２５】
図１ｂ、図１ｃ及び図１ｄに示されるように、ハウジング収容体２の収容領域２０は、長尺状に延在する溝部の形態でその長軸Ｌに沿って延在する凹部（「へこみ」或いは「くぼみ」ともいう）２５を備えており、これにより収容領域２０の内面２２は、前記凹部２５に沿った形状が円筒形又は断面円形になっていない。
【００２６】
図１ｄによれば、凹部２５は拡張空間Ｅを規定し、燃焼室１が（アセンブリ化ないし組み付けのために）ハウジング収容体２の収容領域２０へと挿入される際には、燃焼室ハウジング１０の所定の部位１４はこの拡張空間への変形が可能とされる。このため、収容領域２０への燃焼室ハウジングの挿入時において、燃焼室ハウジング１０の所定の部位１４の変形が生じ、燃焼室１は、その断面においては、すなわち本実施の形態では管軸Ａに関する径方向の延在部分においては、収容領域２０に対して、すなわち本実施の形態では収容領域２０の内径に対して、明らかに大きな形状を有している。このため、燃焼室ハウジング１０の外面のシェル面１２は、収容領域２０への燃焼室ハウジング１０の挿入時には、締り嵌めの形態で収容領域２０の内面２２に配置され、これによりこの内面２２は、燃焼室ハウジング１０の外面のシェル面１２に対して、管軸Ａ又は長軸Ｌのそれぞれに関し径方向内方に所定荷重を加える。この荷重の影響下において、適正な薄壁状の燃焼室ハウジング１０は、好ましくは金属材料、特にはアルミニウム、銅、鋼鉄からなり、変形特性を有している。従って、この燃焼室ハウジング１０は、燃焼室ハウジングのうち少なくとも変形する部位１４の領域において、弾性的又は塑性的に変形可能となるように構成されている。
【００２７】
燃焼室ハウジング１０は、その外側シェル面１２においてほぼ完全に収容領域２０の内面２２に当接するため、その一方で、図１ｄが参照されるように、収容領域２０の凹部２５によって形成される拡張空間Ｅに隣接する少なくとも１つの部位１４において、燃焼室ハウジング１０が選択的に変形する。このため、前記部位１４は、燃焼室ハウジング１０の前記部位１４が更に変形するような過大な圧力荷重が生じることなく、燃焼室ハウジング１０がその後に外側シェル面１２においてハウジング収容体２の収容領域２０の内面２２に当接するような大きさへと自動的に変形する。
【００２８】
換言すれば、燃焼室ハウジング１０の外側シェル面１２は、ハウジング収容体２へのその挿入時には、収容領域２０の凹部２５によって形成される拡張空間Ｅへと燃焼室ハウジング１０の所定の部位１４が変形すると同時に、収容領域２０の内面２２に選択的に収容される。このため、ハウジング収容体２への燃焼室１の挿入時に、有効空間の寸法差を補正することができ、ハウジング収容体２の内面２２に対する燃焼室１の外側シェル面１２の規定の保持状態（静止状態）が常に確保される。更に、この燃焼室ハウジング１０は、特に、周方向についてハウジング収容体２又はその収容領域２０との位置調整がなされ、これにより燃焼室ハウジング１０及びハウジング収容体２の吐出開口１８，２８は、互いに連通し、互いに規定の態様で配置され、燃焼室１の内部でのガス発生時にそれぞれに高圧が作用した場合であってもその相対位置を保持する。
【００２９】
燃焼室ハウジング１０の内部のガス発生の間では、この燃焼室ハウジングは、ガス発生に関する圧力影響下において、収容領域２０の内面２２に対してより強固に当接し、一方では、ハウジング収容体２に対する燃焼室の相対位置が不用意に変化することがなく、これは、燃焼室１がその変形した部位１４を介して、ポジティブロック（凸状部分による係合固定）の形態で、ハウジング収容体２の内面２２の少なくとも１つの凹部２５に係合するからである。すなわち、ハウジング収容体の吐出開口２８に対する燃焼室の吐出開口１８の規定された相対位置もまた、燃焼室１の作動の間は常に確保される。このため、対応する薄壁状で且つより容易な変形が可能な燃焼室１が、常にハウジング収容体２の内面２２を取り囲む領域全体にわたって当接するならば、特に適切とされる。
【００３０】
このようにして、燃焼室ハウジング１０の吐出開口１８を通じて流れたガスが、その後に、それに連通するハウジング収容体２の吐出開口２８に達する構成が確保される。
【００３１】
１つのないし単一の変形部分２５の場合でも、収容領域２０の円周に沿って分散された複数の凹部が設けることができ、その凹部へと燃焼室ハウジングの所定の部位１４が（それぞれ）変形可能とされる。また、厳密な幾何学形状、前記凹部２５の空間上の配置や範囲（大きさ）は、変更されてもよい。
【００３２】
更に、適宜には、燃焼室ハウジング１０のそのような複数の部位１４の領域に、例えばエンボスの形態のような材質的な脆弱部分を設けてもよく、そのような複数の部位１４は、特定の部位１４における燃焼室ハウジング１０の選択的な変形を改良するべく、それぞれが対応する凹部２５へと変形する。
【００３３】
ハウジング収容体２は、燃焼室ハウジング１０と対比して寸法的により安定した材料からなり、これにより燃焼室ハウジング１０（その変形可能な部位１４を含む）が収容領域２０の内面２２（少なくとも１つの凹部２５を含む）上に保持されることができ、このハウジング収容体２は、特に、固形充填剤が燃焼室ハウジング１０の内部において化学反応によって圧力ガスへと変化する場合に生じる圧力に対抗しなければならない。
【００３４】
ハウジング収容体は、例えば適切な固形状のプラスチック又はマグネシウムからなり、また例えば、発生したガスによって膨張するガスバッグを収容する機能を更に果たすモジュールハウジングの一構成要素を形成してもよい。
【００３５】
このようにして、特に、燃焼室ハウジング１０と、その中に配置される、例えば固形状の薬剤とを有する燃焼室１は、ガス発生機能を有するガスジェネレータの更なる構成要素として個別に、且つ、図４ａ及び図４ｂの以下の注釈が参照されるように、例えば膨張するガスバッグのようにガスジェネレータから独立した構成要素を収容するための更なる機能を果たすモジュールハウジングに直接的に配設されてもよい。
【００３６】
燃焼基体ハウジング１０のうち変形する部位１４と、その中へと前記部位１４が変形する凹部２５には、吐出開口を設けないのが好ましい。
【００３７】
図２ａから図２ｃには、図１ａから図１ｄの装置の変更例が示されており、本質的な相違点として、図２ａから図２ｃによれば、拡張空間Ｅを形成する凹部１５が燃焼室１の外側シェル面１２に設けられており、図１ａから図１ｄの場合のようにハウジング収容体２の内面２２に設けられていない点が挙げられる。このため、図２ｃに示されるように、ハウジング収容体２の収容領域２０への燃焼室ハウジング１０（その燃焼室ハウジングがハウジング収容体２に対して明らかに大きいサイズで構成されている）の挿入時において、燃焼室ハウジング１０の所定の部位１４が、燃焼室ハウジング１０自体の凹部１５によって形成された拡張空間Ｅで変形し、このためこの拡張空間Ｅは、図１ｄの場合のように、少なくとも一部が燃焼室ハウジング１０の材質ないし素材で満たされる（充填される）。このため、この場合に変形する部位１４は、燃焼室ハウジング１０のうち凹部１５又はそのような当接部分がそれぞれ設けられる領域の一構成要素を形成し、これにより凹部１５によって形成された拡張空間Ｅへの前記部位１４の変形が可能とされる。
【００３８】
図３には、最後に図２ａの燃焼室ハウジング１０の更なる別の実施形態が示されており、その実施形態では、複数の凹部１５がそれぞれ拡張空間Ｅを形成しており、また各拡張空間Ｅへとそれぞれ変形可能な複数の材質部分１４が燃焼室ハウジング１０の円周に沿って順次に配設されており、個別の材質部分１４又は凹部１５は、それぞれの場合において、燃焼室ハウジング１０の管軸Ａに沿って延在している（また、このためその長さの一部にわたって、或いはその全長にわたって延在している）。
【００３９】
既に述べたように、複数の凹部２５は、図１ａから図１ｄに示す実施形態において、ハウジング収容体２の収容領域２０の円周に沿って順次に配設されてもよく、そこでは変形する部位１４が、燃焼室ハウジングの外側シェル面１２上に設けられなければならない。
【００４０】
図４ａ及び図４ｂには、燃焼室１のためのハウジング収容体２が示されており、そのハウジング収容体は、モジュールハウジング用のモジュールハウジング３上に一体状に形成されている。
【００４１】
モジュールハウジング３（例えば、プラスチック又はマグネシウムからなるハウジング）は、エアバッグモジュールのガスバッグを収容するための空間３０を公知の形態で形成し、そのガスバッグは、所定のガスバッグ包体が折り畳まれたものであり、またモジュール３の側壁部から延出するベース面３２と、モジュールカバーによって閉鎖可能とされるとともにベース面３２に対向する開口カバー面３５とを備えている。モジュールハウジング３へのモジュールカバーの取り付けのために、キャッチフック式の形状フィット要素（形状適合要素）３６が設けられており、その形状フィット要素は、開口カバー面３５の領域において、モジュールハウジング３の側壁部から突出している。
【００４２】
長尺状に延在する管状のハウジング収容体２は、モジュールハウジング３のベース面３２に一体状に形成されており、そのハウジング収容体は、第１及び第２端面２３ａ，２３ｂの間に延在しており、またそのハウジング収容体には、燃焼室１がそのハウジング１０とともに収容されている。
【００４３】
このため、燃焼室１及びそのハウジング１０はそれぞれ、ハウジング収容体２の全長に沿って延在しない。実際には、燃焼室１の延在部分は、ハウジング収容体２の延在方向については、ハウジング収容体２自体の延在部分よりも短い。これは、ハウジング収容体２の２つの端面２３ａ，２３ｂ（軸端部）が、ハウジング収容体２に収容された燃焼室ハウジング１０の２つの端面１３ａ，１３ｂ（軸端部）よりも軸長さが大きいことを意味しており、この燃焼室ハウジング１０に固形充填剤Ｌの形態の薬剤が配設される。
【００４４】
ハウジング収容体２の端面２３ａ又は軸端部の領域はそれぞれ、開放された自由端領域とされ、ハウジング７０においてイグナイター７２を有する点火装置７と、点火手段を収容するチャンバー（室）７５とを収容するための機能を果たす。このイグナイターのハウジング７０は、燃焼室ハウジング１０の端面１３ａ又は軸端部にそれぞれ、（耐ガス構造の形態で）接続されている。
【００４５】
図４ａ及び図４ｂに示される装置の弁別的な特徴としては、モジュールハウジング３とは別体のガスジェネレータ用のジェネレータハウジングを別個に設けることがなく、また一方ではハウジング１０及び固形充填剤Ｌの形態の薬剤を備える燃焼室１が、他方では点火装置７が、２つのアセンブリグループ（ないし組み付けグループ）として、燃焼室１及び点火装置７のためのハウジング収容体２に配設され、そのハウジング収容体２がモジュールハウジング３と一体状に形成されている。
【００４６】
更なる別の弁別的な特徴として、最初の段階では、燃焼室１に設けられた薬剤の点火後にガスが流出するガス用の吐出開口は、燃焼室ハウジング１０に設けられない。実際には、まさに初期段階から燃焼室収容体２に吐出開口２８が設けられ、燃焼室１で発生したガスはその吐出開口を通じて膨張するガスバッグへと案内される。
【００４７】
燃焼室ハウジングでは、燃焼室１に設けられた薬剤が点火装置７によって点火時、点火後においてのみ、対応する吐出開口１８’が形成され、そこからガスが発生し、燃焼室１の圧力が急激に上昇し、薄壁状の燃焼室ハウジング１０がハウジング収容体２によって支持されない部位において、すなわちハウジング収容体の吐出開口２８のうち燃焼室ハウジング１０に対向する側において破断し、これにより吐出開口１８’は、ハウジング収容体の吐出開口２８に重なり合うように形成される。
【００４８】
このため、局部的な薬剤の点火後に燃焼室１で放出されたガスは、ちょうど先程形成された燃焼室ハウジングの吐出開口１８’と、ハウジング収容体の吐出開口２８とを通じて、モジュールハウジング３の内部の空間３０へと流れ、その内部の空間３０はガスバッグを収容する機能を有し、そのガスは熱遮蔽部材（熱シールド）４、フィルター５、拡散器（ディフューザー）６を介して、膨張するガスバッグへと案内される。
【００４９】
図５には、図４ａ及び図４ｂの装置の変更例が示されており、この変更例では、燃焼室ハウジング１０に（ガス圧の作用下で）形成される少なくとも１つの吐出開口１８’’は、図４ａ及び図４ｂの場合のように燃焼室ハウジング１０のシェル面に設けられるのではなく、燃焼室ハウジング１０の端面１３ｂにおいて、燃焼室１で発生したガスがそこから燃焼室１で規定される管軸に沿って吐出されるように設けられている。
【００５０】
上述の実施形態では、燃焼室ハウジング１０の吐出開口１８，１８’がそれぞれの場合において、前記吐出開口１８，１８’からのガスがそれぞれ燃焼室ハウジング１０で規定される管軸に関して径方向に吐出されるようにシェル面に形成されるのに対して、図５に示す実施形態では、少なくとも１つの吐出開口１８’’は、燃焼室１で発生したガスがこの吐出開口１８’’を通じて（管軸に沿って）軸方向に吐出されるように燃焼室ハウジング１０の端面に配設されている。前記ガスは、ハウジング収容体２の端面２３ｂに設けられたチャンバー（室）２９に達し、そのチャンバーからハウジング収容体に（径方向に）設けられた少なくとも１つの吐出開口２８を通り、熱遮蔽部材４、フィルター５、拡散器６を介して、膨張するガスバッグへと流れる。従って、前記チャンバー２９は、燃焼室ハウジング１０の端面１３ｂに連接して配置され、このチャンバーでは、燃焼室１で発生したガスのガス圧の作用によって、燃焼室ハウジングに少なくとも１つの吐出開口１８’’が形成される。
【００５１】
本発明では、「燃焼室を取り囲む燃焼室ハウジングと、前記燃焼室ハウジングが収容されるハウジング収容体とを備え、前記燃焼室ハウジングの外面が前記ハウジング収容体の内面に沿って延在し、前記燃焼室ハウジングを規定の態様にしたがって前記ハウジング収容体の中へと装着することによって、一方では前記燃焼室ハウジングに、他方では前記ハウジング収容体にそれぞれ設けられた吐出領域が空間的に互いに連通し、前記燃焼室で発生したガスは、ガスバッグを膨張させるべく、前記燃焼室ハウジング及び前記ハウジング収容体の吐出領域を通じて吐出可能とされ、前記燃焼室ハウジング（１０）および／または前記ハウジング収容体（２）に少なくとも１つの凹部（１５，２５）が形成され、前記燃焼室ハウジング（１０）が規定の態様にしたがって前記ハウジング収容体（２）の中へと装着されるとき、前記燃焼室ハウジング（１０）の外面（１２）と前記ハウジング収容体（２）の内面（２２）との間の前記凹部（１５，２５）の領域の拡張空間（Ｅ）は、前記燃焼室ハウジング（１０）の所定の部位（１４）の変形によって、少なくとも一部が前記燃焼室ハウジング（１０）の前記部位（１４）の材質で満たされる、車両のエアバッグモジュール用燃焼室ユニットであって、或いは請求項１に記載の燃焼室ユニットであって、前記燃焼室ハウジング（１０）が前記ハウジング収容体（２）の中へと装着されるときに、前記ハウジング収容体（２）の前記内面（２２）が前記燃焼室ハウジング（１０）の前記外面（１２）に対して内側に向かう圧力を加え、このために前記燃焼室ハウジング（１０）の少なくとも一部が前記拡張空間（Ｅ）へと変形するように、前記ハウジング収容体（２）に対する前記燃焼室ハウジング（１０）の大きさが設定されていることを特徴とする燃焼室ユニット」という態様（態様１）を採り得る。
また本発明では、「請求項１又は２に記載の燃焼室ユニットであって、前記ハウジング収容体に装着される前記燃焼室ハウジング（１０）は、少なくとも１つの空間上の方向について前記ハウジング収容体（２）を上回る大きさとされ、これにより前記ハウジング収容体（２）に前記燃焼室ハウジング（１０）が挿入されるときに、前記燃焼室ハウジング（１０）に対して内側に向かう圧力が作用することを特徴とする燃焼室ユニット」という態様（態様２）を採り得る。
また本発明では、「前記態様２に記載の燃焼室ユニットであって、前記燃焼室ハウジング（１０）の少なくとも１つの部位（１４）が、前記圧力によって前記拡張空間（Ｅ）へと変形することを特徴とする燃焼室ユニット」という態様（態様３）を採り得る。
また本発明では、「請求項１から３、前記態様１から３のうちのいずれかに記載の燃焼室ユニットであって、少なくとも１つの凹部（１５）が前記燃焼室ハウジング（１０）の外面（１２）におけるくぼみを形成し、このくぼみへと前記燃焼室ハウジング（１０）の所定の部位（１４）が変形可能とされていることを特徴とする燃焼室ユニット」という態様（態様４）を採り得る。
また本発明では、「前記態様４に記載の燃焼室ユニットであって、前記燃焼室ハウジング（１０）の前記部位（１４）は、少なくとも一部が前記凹部（１５）の１つに合致し、或いは直に接することを特徴とする燃焼室ユニット」という態様（態様５）を採り得る。
また本発明では、「請求項１から４、前記態様１から５のうちのいずれかに記載の燃焼室ユニットであって、前記ハウジング収容体（２）は、燃焼室ハウジングが挿入されるように構成され、これにより前記ハウジング収容体（２）の内面（２２）が、前記燃焼室ハウジング（１０）の外面（１２）に当接することを特徴とする燃焼室ユニット」という態様（態様６）を採り得る。
また本発明では、「請求項４、又は請求項４ないし前記態様６に記載の燃焼室ユニットであって、前記燃焼室ハウジング（１０）は、前記ハウジング収容体（２）にその管軸（Ａ）に沿って挿入可能とされていることを特徴とする燃焼室ユニット」という態様（態様７）を採り得る。
また本発明では、「請求項１から５、前記態様１から７のうちのいずれかに記載の燃焼室ユニットであって、互いに離間して配置された複数の凹部（１５，２５）は、それぞれの場合に拡張空間（Ｅ）を規定するように設けられ、この拡張空間へと前記燃焼室ハウジング（１０）の１つの部位（１４）が変形可能とされることを特徴とする燃焼室ユニット」という態様（態様８）を採り得る。
また本発明では、「請求項１から５、前記態様１から７のうちのいずれかに記載の燃焼室ユニットであって、前記燃焼室ハウジング（１０）は、拡張空間（Ｅ）へと少なくとも変形可能な部位（１４）の領域において、弾性的又は塑性的に変形可能となるように構成されていることを特徴とする燃焼室ユニット」という態様（態様９）を採り得る。
また本発明では、「請求項１から５、前記態様１から９のうちのいずれかに記載の燃焼室ユニットであって、前記ハウジング収容体は、前記燃焼室（１）で発生したガス圧に対して前記燃焼室ハウジング（１０）よりも高い安定性を有し、これにより前記燃焼室（１）で発生したガス圧の影響下では、前記燃焼室ハウジング（１０）の外面（１２）を前記ハウジング収容体（２）の内面（２２）が保持することによって前記燃焼室ハウジング（１０）を安定させることが可能であることを特徴とする燃焼室ユニット」という態様（態様１０）を採り得る。
【００５２】
また本発明では、「請求項６に記載の燃焼室ユニットであって、少なくとも幾つかの吐出開口（１８’，１８’’；２８）は、前記燃焼室（１）で発生したガス圧によって形成されることを特徴とする燃焼室ユニット」という態様（態様１１）を採り得る。
また本発明では、「前記態様１１に記載の燃焼室ユニットであって、吐出開口（２８）は、前記燃焼室（１）でガスが発生する前に前記ハウジング収容体（２）に既に設けられ、吐出開口（１８’，１８’’）は、前記燃焼室（１）で発生したガス圧によって形成されることを特徴とする燃焼室ユニット」という態様（態様１２）を採り得る。
また本発明では、「請求項１から６、前記態様１から１２のうちのいずれかに記載の燃焼室ユニットであって、一方では前記燃焼室ハウジング（１０）に、また他方では前記ハウジング収容体（２）に設けられた吐出領域（１８，２８）は、少なくとも一部が互いに重なり合うことを特徴とする燃焼室ユニット」という態様（態様１３）を採り得る。
また本発明では、「請求項１から６、前記態様１から１３のうちのいずれかに記載の燃焼室ユニットであって、前記燃焼室ハウジングの吐出領域（１８，１８’）の少なくとも一部が、前記燃焼室ハウジング（１０）のシェルに設けられていることを特徴とする燃焼室ユニット」という態様（態様１４）を採り得る。
また本発明では、「請求項１から６、前記態様１から１４のうちのいずれかに記載の燃焼室ユニットであって、前記燃焼室ハウジングの吐出領域（１８’’）の少なくとも一部が、前記燃焼室ハウジング（１０）の端面（１３ｂ）に設けられていることを特徴とする燃焼室ユニット」という態様（態様１５）を採り得る。
また本発明では、「請求項１から８、前記態様１から１５のうちのいずれかに記載の燃焼室ユニットであって、前記ハウジング収容体（２）は、エアバッグモジュールのモジュールハウジング（３）の一体状の構成要素を形成することを特徴とする燃焼室ユニット」という態様（態様１６）を採り得る。
また本発明では、「請求項１０に記載の燃焼室ユニットであって、前記燃焼室（１）及び前記点火装置（７）は、前記ハウジング収容体（２）の管軸（Ａに沿って互いに配設されていることを特徴とする燃焼室ユニット」という態様（態様１７）を採り得る。
【符号の説明】
【００５３】
１  燃焼室
２  ハウジング収容体
３  モジュールハウジング
４  熱遮蔽部材
５  フィルター
６  拡散器
７  点火装置
１０  燃焼室ハウジング
１２  （外側）シェル面
１３ａ  第１（端面）
１３ｂ  第２（端面）
１４  部位
１５  凹部
１８  吐出開口
１８’  吐出開口
１８’’  吐出開口
２０  収容領域
２２  内面
２３ａ  第１（端面）
２３ｂ  第２（端面）
２４  チャンバー
２５  凹部
２８  吐出開口
３０  空間部
３２  ベース面
３５  開口カバー面
３６  形状フィット要素
７０  ハウジング
７２  イグナイター
７５  チャンバー
Ａ  管軸
Ｅ  拡張空間
Ｌ  薬剤（固形充填剤）
【手続補正２】
【補正対象書類名】特許請求の範囲
【補正対象項目名】全文
【補正方法】変更
【補正の内容】
【特許請求の範囲】
【請求項１】
車両のエアバッグモジュール用燃焼室ユニットであって、
燃焼室を取り囲む燃焼室ハウジングと、前記燃焼室ハウジングが収容されるハウジング収容体とを備え、
前記燃焼室ハウジングの外面が前記ハウジング収容体の内面に沿って延在し、
前記燃焼室ハウジングを規定の態様にしたがって前記ハウジング収容体の中へと装着することによって、一方では前記燃焼室ハウジングに、他方では前記ハウジング収容体にそれぞれ設けられた吐出領域が空間的に互いに連通し、前記燃焼室で発生したガスは、ガスバッグを膨張させるべく、前記燃焼室ハウジング及び前記ハウジング収容体の吐出領域を通じて吐出可能とされ、
前記燃焼室ハウジング（１０）および／または前記ハウジング収容体（２）に少なくとも１つの凹部（１５，２５）が形成され、前記燃焼室ハウジング（１０）が規定の態様にしたがって前記ハウジング収容体（２）の中へと装着されるとき、前記燃焼室ハウジング（１０）の外面（１２）と前記ハウジング収容体（２）の内面（２２）との間の前記凹部（１５，２５）の領域の拡張空間（Ｅ）は、前記燃焼室ハウジング（１０）の所定の部位（１４）の変形によって、少なくとも一部が前記燃焼室ハウジング（１０）の前記部位（１４）の材質で満たされることを特徴とする燃焼室ユニット。
【請求項２】
請求項１に記載の燃焼室ユニットであって、
前記燃焼室ハウジング（１０）は、当該燃焼室ハウジング（１０）の部位（１４）で集中して変形し、前記ハウジング収容体（２）のうち前記部位（１４）の外側の内面（２２）に対して前記燃焼室ハウジング（１０）の外面（１２）が当接することによって、前記部位（１４）が拡張空間（Ｅ）へと変形可能とされることを特徴とする燃焼室ユニット。
【請求項３】
請求項１又は２に記載の燃焼室ユニットであって、
少なくとも１つの凹部（２５）が前記ハウジング収容体（２）の内面（２２）におけるくぼみを形成し、このくぼみへと前記燃焼室ハウジング（１０）の所定の部位（１４）が変形可能とされていることを特徴とする燃焼室ユニット。
【請求項４】
請求項１から３のうちのいずれか一項に記載の燃焼室ユニットであって、
前記燃焼室ハウジング（１０）は、特に円筒面に沿って延在する外側シェル面としての管状の外側シェル面（１２）を有することを特徴とする燃焼室ユニット。
【請求項５】
請求項４に記載の燃焼室ユニットであって、
前記凹部（１５，２５）が前記管軸（Ａ）に沿って延在していることを特徴とする燃焼室ユニット。
【請求項６】
請求項１から５のうちのいずれか一項に記載の燃焼室ユニットであって、
吐出領域（１８，１８’，１８’’；２８）が吐出開口として形成され、前記燃焼室（１）でガスが発生する前に既に、前記燃焼室ハウジング（１０）及び前記ハウジング収容体（２）に前記吐出開口（１８，２８）が設けられていることを特徴とする燃焼室ユニット。
【請求項７】
請求項１から６のうちのいずれか一項に記載の燃焼室ユニットであって、
少なくとも１つの凹部（１５，２５）に吐出領域が設けられていないことを特徴とする燃焼室ユニット。
【請求項８】
請求項１から７のうちのいずれか一項に記載の燃焼室ユニットであって、
前記燃焼室ハウジング（１０）のうち変形する少なくとも１つの部位（１４）に吐出領域が設けられていないことを特徴とする燃焼室ユニット。
【請求項９】
請求項１から８のうちのいずれか一項に記載の燃焼室ユニットであって、
前記燃焼室（１）に設けられた薬剤（Ｌ）を点火するための点火装置（７）が前記燃焼室（１）に連結され、前記燃焼室（１）及び前記点火装置（７）は、別個の組み付けブリグループとして互いに接続されることを特徴とする燃焼室ユニット。
【請求項１０】
請求項９に記載の燃焼室ユニットであって、
前記燃焼室（１）及び前記点火装置（７）は、前記モジュールハウジング（３）に形成された前記ハウジング収容体（２）に配設されていることを特徴とする燃焼室ユニット。
【国際調査報告】
2010540311.tif 000014
2010540311.tif 000015
2010540311.tif 000016
2010540311.tif 000017
2010540311.tif 000018
2010540311.tif 000019